(57)【特許請求の範囲】
【請求項１】
室外機および該室外機に接続された少なくとも１台の室内機からなる空気調和機本体と、前記空気調和機本体を遠隔制御するリモートコントローラとを備えた空気調和機において、前記室外機は所定周期毎に（平均母線電圧と補正後平均一次電流を検出して）電力値を算出し、前記室内機はファン回転数が変化したときに電力値を算出すると共に、算出した電力値が変化した毎に、その電力値を前記室外機へ通信し、前記室外機は、送信されてきた前記室内機の電力値と自己の室外機の電力値を合算した合算電力値を定時通信毎に代表の室内機へ送信し、その代表室内機で合算電力値を積算して使用電力量を算出し、前記リモートコントローラに送信してＣＯ２排出量を換算して表示することを特徴とする空気調和機。
【請求項２】
前記代表室内機は前記合算電力値を受信すると、所定時間毎の平均値を算出して使用電力量を算出すると共に記憶し、前記使用電力量データの要求を受けると前記リモートコントローラへ前記使用電力量データを送信することを特徴とする請求項１記載の空気調和機。
【請求項３】
前記リモートコントローラに表示する際に、その日その時刻までの積算値と過去の実績を並べて表示することを特徴とする請求項１または請求項２記載の空気調和機。
【請求項４】
前記リモートコントローラの表示モードを切り替えて、ＣＯ２排出量を日毎、月毎の該当量を表示することを特徴とする請求項１または請求項２記載の空気調和機。
【請求項５】
前記空気調和機本体の運転中、または停止中に関わらずＣＯ２排出量を前記リモートコントローラに表示することを特徴とする請求項１乃至請求項４のいずれかに記載の空気調和機。
【発明の詳細な説明】
【技術分野】
【０００１】
この発明は、エネルギー消費に関するＣＯ２排出量を表示する手段を備えた空気調和機に関するものである。
【背景技術】
【０００２】
従来の空気調和機は、運転時の消費電力に基づいて所定期間内に要した消費割合に関する情報が自動的に報知される（例えば、特許文献１参照。）。
また、消費電力から二酸化炭素排出量を算出して表示する表示部と、この算出された二酸化炭素排出量から機器本体の運転を制御する制御手段を備えているものもある（例えば、特許文献２参照。）。
また、空気調和機本体とリモコンとにそれぞれ双方向通信手段を設け、本体では消費電力を計測し、リモコンには所定日数の間の消費電力の総積算値を表示するものもある（例えば、特許文献３参照。）。
【先行技術文献】
【特許文献】
【０００３】
【特許文献１】特開２００８−２６１６３０号公報（第３―１０頁、第３図）
【特許文献２】特開２００４−０６０９９８号公報（第５―６頁、第３図）
【特許文献３】特開２００１−０９９４６５号公報（第２―４頁、第３図）
【発明の概要】
【発明が解決しようとする課題】
【０００４】
従来の空気調和機は、二酸化炭素排出量を算出するための消費電力の積算精度が粗く、大まかな消費電力とさらには二酸化炭素排出量しか表示できないことや、所定期間の消費電力積算に対して、予め定めた閾値との比較を表示するだけである等の問題点があった。
【０００５】
この発明は、上記のよう課題を解決するためになされたもので、第１の目的は電力使用量を精度良く算出することができる空気調和機を得るものである。
【０００６】
また、第２の目的はＣＯ２排出量をその日の算出値と前日実績を比較表示し、さらに日毎、月毎の該当量を表示することで利用者への空気調和機の運転利用によるＣＯ２排出量に対する意識を高め、省エネ運転を促すことができる空気調和機を得るものである。
【課題を解決するための手段】
【０００７】
この発明に係る空気調和機は、室外機および該室外機に接続された少なくとも１台の室内機からなる空気調和機本体と、前記空気調和機本体を遠隔制御するリモートコントローラとを備えた空気調和機において、前記室外機は所定周期毎に（平均母線電圧と補正後平均一次電流を検出して）電力値を算出し、前記室内機はファン回転数が変化したときに電力値を算出すると共に、算出した電力値が変化した毎に、その電力値を前記室外機へ通信し、前記室外機は、送信されてきた前記室内機の電力値と自己の室外機の電力値を合算した合算電力値を定時通信毎に代表の室内機へ送信し、その代表室内機で合算電力値を積算して使用電力量を算出し、前記リモートコントローラに送信してＣＯ２排出量を換算して表示するものである。
【発明の効果】
【０００９】
この発明の空気調和機は、室外機および該室外機に接続された少なくとも１台の室内機からなる空気調和機本体と、前記空気調和機本体を遠隔制御するリモートコントローラとを備えた空気調和機において、前記室外機は所定周期毎に（平均母線電圧と補正後平均一次電流を検出して）電力値を算出し、前記室内機はファン回転数が変化したときに電力値を算出すると共に、算出した電力値が変化した毎に、その電力値を前記室外機へ通信し、前記室外機は、送信されてきた前記室内機の電力値と自己の室外機の電力値を合算した合算電力値を定時通信毎に代表の室内機へ送信し、その代表室内機で合算電力値を積算して使用電力量を算出し、前記リモートコントローラに送信してＣＯ２排出量を換算して表示するので、空気調和機の運転によるＣＯ２排出量を精度良く、利用者に知らせることができるという効果を有する。
【図面の簡単な説明】
【００１１】
【図１】この発明の実施の形態１における空気調和機の構成図である。
【図２】この発明の実施の形態１における空気調和機の冷媒回路図である。
【図３】この発明の実施の形態１における他の空気調和機の構成図である。
【図４】この発明の実施の形態１における空気調和機の表示方法の説明図である。
【図５】この発明の実施の形態１における空気調和機の表示方法の説明図である。
【図６】この発明の実施の形態１における空気調和機の表示フロー図である。
【発明を実施するための形態】
【００１２】
実施の形態１．
図１はこの発明の実施の形態１における空気調和機の構成図、図２はこの発明の実施の形態１における空気調和機の冷媒回路図、図３はこの発明の実施の形態１における他の空気調和機の構成図を示すものである。
図１に示すように、空気調和機１００は室外機１と室内機２とが分離されて、それぞれを冷媒配管及び制御通信線で接続して成る分離型の空気調和機本体１０と、前記室内機の制御通信部に接続されて、本体への運転指令情報を送信し、運転情報を表示するリモートコントローラ２０とを備える。
【００１３】
図２に示すように、空気調和機本体１０は、圧縮機３と、四方弁４と、第１熱交換器５と、膨張機構６と、第２熱交換器７とを備え、これらを冷媒配管により順次接続して冷凍サイクルを構成する。なお、室外機１は、圧縮機３と、四方弁４と、第１熱交換器５と、膨張機構６とを備え、室内機２は第２熱交換器７を備える。
冷房運転時には、第１熱交換器５が凝縮器、第２熱交換器が蒸発器として働く。また、暖房運転時には、四方弁４が切り替わり、第２熱交換器が凝縮器、第１熱交換器が蒸発器として働く。
【００１４】
図１に示すように、リモートコントローラ２０は、表示部２１と入力部２２とを備え、空気調和機本体１０を遠隔制御する。表示部２１は、空気調和機本体１０の運転状態を表示し、例えば、運転中であるか否か、運転モード（冷房／暖房）、設定温度、設定風量、風向などの運転状態について情報を表示する。入力部２２は複数のボタン（スイッチ）から構成され、例えば、運転／停止の指示、運転モードの切り替え、設定温度、設定風量、風向などの制御情報を入力する。
【００１５】
図３に示す空気調和機は、１台の室外機に複数台の室内機が接続されるマルチタイプの空気調和機であり、室外機１に搭載された圧縮機３から吐出された冷媒が、室内機２を経てこの室外機１に戻り圧縮機３の吸入側へ流入してくる冷媒循環回路を成す１冷媒系統から構成されている。リモートコントローラ２０は複数台の室内機２の中の１台に制御通信線で接続され、このリモートコントローラ２０からの運転指令情報が接続された室内機に受信され、その情報が他の室内機へ室内機間に接続された渡り制御通信配線を介して伝えられる。そして、室外機１へは１台の室内機２から制御通信配線される。本図では、リモートコントローラ２０が配線された室内機２との間で制御通信配線される場合を示しているが、それ以外の室内機から接続配線されても良い。
【００１６】
図４はこの発明の実施の形態１における空気調和機の表示方法の説明図であり、図１に示すリモートコントローラ２０の表示部２１に表示される情報を表している。空気調和機本体１０の運転を停止すると、前記表示部２１にはデータ収集中であることを示す「ＣＯ２排出量収集中」の表示が約５〜１０秒ほど現れ、その後、今日の積算排出量と前日の積算排出量とを並べて表示する。この例では、当日の空気調和機を運転して空調を行うことにより、運転を停止する、その日のその時刻までのＣＯ２排出量の積算値が「１２．５ｋｇ」であることと、前日のＣＯ２排出量の実績値「１２０．５ｋｇ」とが並べて表示されたものである。
【００１７】
以上のように、今日と昨日との積算排出量を並べて表示するようにしているので、ユーザーが簡単に比較可能となり省エネの意識付けができる。
【００１８】
図５はこの発明の実施の形態１における空気調和機の表示方法の説明図であり、図１に示すリモートコントローラ２０の表示部２１に表示される情報を表している。リモートコントローラ２０のボタン操作により表示画面でメインメニューを呼び出し、その中から「ＣＯ２排出量表示」を選択すると、次の画面［ＣＯ２排出表示メニュー］が表示され、「日次データ（過去１週間分）」または「月次データ（過去１４ヶ月分）」からどちらかを選択すると図５に示す［表示Ｂ］または［表示Ｃ］の情報が現れる。例えば、［表示Ｂ］の場合、「日次ＣＯ２排出量」のタイトルと最新の順に日付（年／月／日）とその日のＣＯ２排出量がセットで並んで順に下側へ表記される。また、［表示Ｃ］の場合、「月次ＣＯ２排出量」のタイトルが記載され、その下に最新の順に年月（年／月）とその月のＣＯ２排出量がセットで並んで順に下側へ表示される。図中の表示例の中に「アドレス０」が表示されているが、この意味は例えば、１冷媒系統回路単位で設定されたアドレスの番地を表示するもので、複数の冷媒系統を集中してリモートコントローラ２０にて制御・通信する際に、表示や制御させる空気調和機がどの冷媒系統かを選択できるように使われるものである。
【００１９】
図６はこの発明の実施の形態１における空気調和機の表示フロー図である。空気調和機本体が運転している間、室外機１および室内機２は各々の電力値を独立して算出する（Ｓ１）。室外機１はサンプリング周期毎に平均母線電圧と補正後平均一次電流を検出し、それらから電力値を算出する。算出式は、電力値（ＯＣ）＝平均母線電圧×補正後平均一次電流×係数Ｋ×力率となる。また、室内機２はファン回転数（制御用の目標ファン回転数）に応じて電力値（ＯＩ）を算出するが、室内機のファン回転数は室外機の電力値の変化時間に対して変化するまでの時間が長いファン回転数制御となるので、室外機が所定時間毎のサンプリング周期で算出するのに対して、室内機２ではファン回転数が変化して電力値が変化した場合に算出する。なお、室内機の電力値には必要に応じてドレンポンプ補正値を加算する。
【００２０】
次に、室内機２は算出した各室内機の電力値（ＯＩ）のデータを室外機１へ送受信手段を介して送信するが、室内機の電力値が変化した毎にこの通信をおこなう（Ｓ２）。これにより室外機１と室内機２との間の制御通信量を抑制することができ、制御通信のための容量や能力を軽くすることができる。各室内機で算出された電力値（ＯＩ）を室外機で受信し、これに室外機自身の電力値（ＯＣ）を合算して空気調和機本体の合算電力値（Ｐｔ）を算出する（Ｓ３）。そして、予め設定された代表室内機が室外機１から合算電力値（Ｐｔ）を受信し（Ｓ４）、この代表室内機にて１分毎の平均値を算出して積算し使用電力量を算出する（Ｓ５）。算出された使用電力量は、この代表室内機の記憶装置部にて記憶されていく。
【００２１】
その後、リモートコントローラ２０から使用電力量データの要求信号がこの代表室内機に届くと（Ｓ６）、代表室内機から積算して蓄積された使用電力量のデータをリモートコントローラ２０へ送信し、リモートコントローラ２０にて受信したこの使用電力量からＣＯ２換算係数を用いてＣＯ２排出量［ｋｇ］に換算して、図５に示すように、その表示部２１に表示される（Ｓ７）。ここでＣＯ２換算係数は異なる電力事情に対応できるようにリモートコントローラにて設定可能としている。
【符号の説明】
【００２２】
１  室外機、２  室内機、３  圧縮機、４  四方弁、５  第１熱交換器、６  膨張機構、７  第２熱交換器、１０  空気調和機本体、２０  リモートコントローラ、２１  表示部、２２  入力部、１００  空気調和機。
【図１】
0005446906.tif 000002
【図２】
0005446906.tif 000003
【図３】
0005446906.tif 000004
【図４】
0005446906.tif 000005
【図５】
0005446906.tif 000006
【図６】
0005446906.tif 000007